(57)【特許請求の範囲】
【請求項１】
磁気シールドルームの入口の足摺り部と、該磁気シールドルームが設置される床面の間に生じる段差に架設される磁気シールドルーム用スロープであって、前記段差に架設される天板、該天板を一方の端に載せ、両端の中間を支点とし、該支点を中心として動く自由度を有するスイングアーム、該スイングアームの他端に荷した錘を有し、前記天板は、前記スイングアームに連動する構造を有することを特徴とする磁気シールドルーム用スロープ。
【請求項２】
前記錘の重量は、前記スイングアームの平衡がとれる重量よりわずかに重く設定されていることを特徴とする請求項１記載の磁気シールドルーム用スロープ。
【請求項３】
前記天板は、該天板の一方の端が、常に、前記磁気シールドルーム用スロープを設置する部屋のＯＡフロアに、または該ＯＡフロアと同等のレベルに固定され、該固定された箇所を支点として動く自由度を有する片持ち型であることを特徴とする請求項１または請求項２記載の磁気シールドルーム用スロープ。
【請求項４】
前記天板は、該天板の前記一方の端とは異なる他の一方の端が、前記足摺り部と実質的に同じ高さとなる位置で、または、前記足摺り部よりも低く、実質的に水平になるように格納した位置で、それぞれ動きを拘束する固定機構を備えていることを特徴とする請求項３記載の磁気シールドルーム用スロープ。
【請求項５】
前記足摺り部と、前記天板の前記他の一方の端の間には、隙間を覆う添板が設置されていることを特徴とする請求項４記載の磁気シールドルーム用スロープ。
【請求項６】
磁気シールドルーム用スロープを構成する構造部材は、非磁性材料から構成されていることを特徴とする請求項１ないし請求項５のいずれか記載の磁気シールドルーム用スロープ。
【発明の詳細な説明】
【０００１】
【発明の属する技術分野】
本発明は、磁気シールドルームの入口部を通じて、磁気シールドルームへの出入りや物品の搬入出を容易にするとともに、磁気シールドルームの機能に、電磁気ノイズの影響を及ぼすことがない磁気シールドルーム用スロープに関する。
【０００２】
【従来の技術】
外部の磁界を遮蔽し、環境磁界を影響を除去する磁気シールドルームを用いることによって、極めて精密な磁場、微弱磁場の利用や測定が可能になった。近年、磁気シールドルームは、医療分野における生体磁気の計測や、半導体製造設備におけるＥＢ描画装置をはじめ、多くの分野に利用されている。これに伴い、磁気シールドルームに搬入出する対象も多様化し、またその機会も多くなってきた。
【０００３】
磁気シールドルームの床面は、十分なシールド機能を満たす必要から、設置床面よりも高くならざるを得ない。このため、磁気シールドルームの入口の足摺り部は、磁気シールドルームが設置されるＯＡフロアとの間には、２５０ｍｍ程度の高さの段差が生じてしまう。
【０００４】
磁気シールドルームに搬入出する対象は、振動を嫌う精密装置、重量が大きい機械、生体磁気計測のための被験者等々さまざまである。台車に搭載した装置や機械、移動式のベッドに横たわる被験者を、磁気シールドルーム入口部の段差を越えて、安全に、確実に、かつ円滑に搬入出することが求められる。
【０００５】
【発明が解決しようとする課題】
約２５０ｍｍの段差を越えて、磁気シールドルーム内に装置や被験者を、安全に、確実に、かつ円滑に搬入出するには、段差を解消するスロープ、あるいは昇降装置が必要となる。磁気シールドルーム入口の搬入出扉は、通常、外側に開く構造となっている。搬入出扉の開閉を保証するために、スロープや昇降装置は、搬入出扉よりも低く設置し、あるいは、格納する必要がある。従来は、スロープや昇降装置の格納、あるいは昇降は、油圧ジャッキやモーター、手動式のウォームジャッキ等を用いて行っていた例もある。
【０００６】
しかし、手動式のウォームジャッキは、昇降に過大な労力と時間を要し、円滑な搬入出ができないという問題があった。駆動用電源を使う電動モーターや油圧ジャッキ、ウォームジャッキを用いた場合は、駆動に伴って発生する電磁気ノイズや振動等が、磁気シールドルーム内で行われる精密磁気測定等に影響を及ぼすことが懸念される。また、油圧ジャッキやウォームジャッキは、煩雑な保守点検を定期的に実施する必要がある。
【０００７】
磁気シールドルーム入口部の昇降装置は、複雑な機構部品から構成されるため、限られた高さにおさまるように設計、製作することが困難である。その上、昇降装置用の工事を、本体である磁気シールドルームとは別に施工する必要があるため、昇降装置を既存の磁気シールドルームに設置することには、困難な事情が多い。また、磁気シールドルーム入口部のスロープは、従来は、磁気シールドルームを設置した後に、人力による運び込み設置方式によるのが一般的であった。
【０００８】
磁気シールドルーム入口部のスロープや昇降装置は、一方において、装置等の搬入出に安全性を確保するために十分な強度に設計する必要があり、他方においては、設置の容易さを考慮して軽量が求められるという、相容れない条件が突きつけられていた。そして、実際には、複雑な構造となり、重量が増加してしまい、人力による運び込みによる設置には、困難を極めていた。さらに、従来方式のスロープや昇降装置の構造部材には、磁性材料の使用を回避できず、電磁気ノイズの発生要因となっていた。このことは、磁気シールドルームの本来の機能効果を減退させることに他ならない。
【０００９】
本発明の目的は、単純にして薄型軽量化を図った構造を有し、設置が容易で、かつ、電磁気ノイズの発生を抑えた磁気シールドルーム用スロープを提供することにある。
【００１０】
【課題を解決するための手段】
本発明の磁気シールドルーム用スロープは、磁気シールドルームの入口の足摺り部と、磁気シールドルームが設置される床面の間に生じる段差に架設され、段差に架設される天板、天板を一方の端に載せ、両端の中間を支点とし、支点を中心として動く自由度を有するスイングアーム、スイングアームの他端に吊した錘を有し、天板は、スイングアームに連動する構造を有する。
【００１１】
錘の重量を、スイングアームの平衡がとれる重量よりわずかに重く設定しておけば、天板が足摺り部に架設された状態となり、そのままロックすれば、搬入出する物品を通すことができる。
【００１２】
本発明の磁気シールドルーム用スロープにおいて、天板は、その一方の端が、常に磁気シールドルーム用スロープを設置する部屋のＯＡフロアに、または、該ＯＡフロアと同等のレベルに固定され、該固定箇所を支点として動く自由度がある、いわゆる片持ち型である。
【００１３】
天板の一方の端を、磁気シールドルーム入口の足摺り部と実質的に同じ高さの状態で動きを拘束して固定すれば、磁気シールドルーム用スロープの上を通って、磁気シールドルームへの装置等を安全に搬入出することができる。また、天板の一方の端を下げ、天板が実質的に水平にした状態で動きを拘束して固定すれば、磁気シールドルーム用スロープを継続して格納することができる。
【００１４】
天板の一方の端を、磁気シールドルーム入口の足摺り部と実質的に同じ高さにした状態で、天板と足摺り部との間に添板が設置して隙間を覆う構造にすることによって、磁気シールドルームへの装置等の搬入出を、さらに安全に行うことができる。
【００１５】
さらに、磁気シールドルーム用スロープを構成する構造部材を、非磁性材料から構成することにより、磁気シールドルーム内に影響を及ぼすおそれがある電磁気ノイズの発生を回避することができる。
【００１６】
【発明の実施の形態】
以下に、本発明の実施の形態について、図面を参照して説明する。
【００１７】
図１は、本発明による磁気シールドルーム用スロープの側面図である。図１（ａ）は、架設された状態を示す図である。図１（ｂ）は、格納された状態を示す図である。
【００１８】
図１に示すように、磁気シールドルーム用スロープは、アルミ製天板１、ＳＵＳ製スイングアーム２、および鉛製錘７を主要にして構成されている。ＳＵＳ製スイングアーム２は、その一方の端をシャフトとピローブロック４を介して、アルミ製天板１の下側に固定されている。ＳＵＳ製スイングアーム２の中間点は、シャフトとピローブロック６により、設置床面１１上にあるピットとの境界点に固定されている。
【００１９】
また、ＳＵＳ製スイングアーム２の、もう一方の端には、非磁性材料である鉛製錘７が吊り下げられている。鉛製錘７の重量は、ＳＵＳ製スイングアーム２の中間点に設けたシャフトとピローブロック６を支点にして、平衡がとれる重量よりわずかに重く設定してある。
【００２０】
アルミ製天板１の片端は、ＳＵＳ製蝶番８により、ＳＵＳ製スロープ固定盤９に固定されている。シャフトとピローブロック４、６は、ともに非磁性材料で製作されたものが使われる。
【００２１】
アルミ製天板１の側面に設けた、固定用ストッパー１０のロックを解除すると、アルミ製天板１は、鉛製錘７の重量によって、てこの原理により、ＳＵＳ製蝶番８を中心として鉛製錘７がピット内に下がり、アルミ製天板１の一方の端を押し上げる。アルミ製天板１の一方の端の高さが、磁気シールドルームの入口の足摺り部と実質的に同じレベルまで上昇したところで鉛製錘７が下がりきるように設定しておけばよい。その後、固定用ストッパー１０をロックして、固定する。さらに、アルミ製天板１と、磁気シールドルーム入口の足摺り部１３の間に、非磁性の添板１４を設けて、平坦にする。添板１４には、非磁性体でかつ軽量であることが好ましく、アルミ材、あるいは木材が使われる。これにより、磁気シールドルーム用スロープの上を通って、重量物の機械等を搭載した台車を、安全に、確実に、かつ円滑に搬入出することができる。
【００２２】
また、添板１４をはずし、固定用ストッパー１０のロックを解除し、人力で僅かに押し下げてやることにより、アルミ製天板１の一方の端を下降させることができる。鉛製錘７は、アルミ製天板１が平衡する重量より、僅かに重く設定されているため、押し下げる力は、わずかで済む。下降完了により、磁気シールドルーム用スロープは高さ１００ｍｍにまで縮小され、固定用ストッパー１０によりロックし、格納を完了する。
【００２３】
本発明は、てこの原理を利用することにより、構造が簡略であり、寸法上の制約を受けることが少ない。また、本発明の磁気シールドルーム用スロープには、油圧ジャッキや電動モーター、手動式のウォームジャッキ等を必要としないため、保守点検も容易となる。さらに、磁気シールドルーム用スロープを構成する構造部材に非磁性材料を使用することにより、あるいは、電動設備を排除することにより、電磁気ノイズの発生させることなく、磁気シールドルームの機能に障害を及ぼすことはない。
【００２４】
【発明の効果】
以上述べたように、本発明によれば、単純にして薄型軽量化を図った構造を有し、設置が容易で、かつ、電磁気ノイズの発生を抑えた磁気シールドルーム用スロープ得ることができる。
【図面の簡単な説明】
【図１】磁気シールドルーム用スロープの側面図。図１（ａ）は架設された状態を示す図、図１（ｂ）は格納された状態を示す図。
【符号の説明】
１    アルミ製天板
２    ＳＵＳ製スイングアーム
４，６    シャフトとピローブロック
７    鉛製錘
８    ＳＵＳ製蝶番
９    ＳＵＳ製スロープ固定盤
１０    固定用ストッパー
１１    設置床面
１２    ＯＡフロアー
１３    足摺り部
１４    添板
【図１】
0004036568.tif 000002